(57)【要約】      （修正有）【課題】着座姿勢の時、背受けと室内の壁面との間の無駄なスペースを減らせるリクライニングシートを提供する。【解決手段】座フレームに第１，第２支点、背フレームに第６，第７支点を設け、第１，第２支点に第１，第２リンクアーム、第６，第７支点に第３，第４リンクアームを回動可能に連結し、第１リンクアームと第２リンクアームとに、平行リンク支点をなす第３，第４支点とを設け、該第３，第４支点とを第３リンクアームに回動可能に連結し、第１リンクアームの後端部に平行リンク支点をなす第５支点を設け、該第５支点に第４リンクアームの下部を回動可能に連結し、ベースフレームの前部、前後中間部、後部に第８，第９，第１０支点を設け、座フレームに第１１支点、第１リンクアームに第１２支点を設け、第８支点と第１１支点とを第５リンクアーム、第９支点と第１支点とを第６リンクアーム、第１０支点と第１２支点とを第７リンクアームにより回動可能に連結する。【選択図】図１
0003181035.tif 000002
【実用新案登録請求の範囲】
【請求項１】
ベースフレームの上方に座フレームを配置し、該座フレームの後部に第１支点及び該第１支点の下方に第２支点を設け、背フレームの下部に第６支点及び該第６支点に対して後方かつ上方に位置する第７支点を設け、前記第１支点及び第２支点に第１リンクアーム及び第２リンクアームを後方に向けて回動可能に連結し、前記第６支点及び第７支点に第３リンクアーム及び第４リンクアームを下方に向けて回動可能に連結し、前記第１リンクアームの前後中間部と第２リンクアームの後部とに、前記第１支点、第２支点を共有した略平行リンク支点をなす第３支点と第４支点とを設け、該第３支点と第４支点とを前記第３リンクアームの下部に回動可能に連結し、前記第１リンクアームの後端部に、前記第３支点、第６支点、第７支点を共有した略平行リンク支点をなす第５支点を設け、該第５支点に前記第４リンクアームの下部を回動可能に連結し、前記ベースフレームの前部、前後中間部、後部に第８支点、第９支点、第１０支点をそれぞれ設け、前記座フレームの前後中間部に第１１支点、前記第１リンクアームの前後中間部に第１２支点を設け、前記第８支点と第１１支点とを第５リンクアーム、前記第９支点と第１支点とを第６リンクアーム、前記第１０支点と第１２支点とを第７リンクアームにより、それぞれ回動可能に連結したことを特徴とするリクライニングシート。
【請求項２】
座フレームの前部に第１３支点及び該第１３支点の後方に第１４支点を設け、オットマンフレームの上部に第１５支点及び該第１５支点の下方に第１６支点とを設け、前記第１３支点及び第１４支点に第８リンクアーム及び第９リンクアームを下方に向けて回動可能に連結し、前記第１５支点及び第１６支点に第１０リンクアーム及び第１１リンクアームを後方に向けて回動可能に連結し、前記第８リンクアームの上下中間部と第９リンクアームの下部とに、前記第１３支点、第１４支点を共有した略平行リンク支点をなす第１７支点、第１８支点とを設け、該第１７支点、第１８支点とを前記第１０リンクアームの後部に回動可能に連結し、前記第８リンクアームの下端部に、前記第１５支点、第１６支点、第１７支点を共有した略平行リンク支点をなす第１９支点を設け、該第１９支点に前記第１１リンクアームの後部を回動可能に連結した請求項１に記載のリクライニングシート。
【請求項３】
第１リンクアームの下部及び第９リンクアームの上下中間部に第１支点、第１４支点を共有した四辺形リンクの支点をなす第２０支点、第２１支点を設け、該第２０支点、第２１支点とに第１２リンクアームを回動可能に連結した請求項２に記載のリクライニングシート。
【請求項４】
ベースフレームに前後方向に延びるスライドガイドを設け、該スライドガイドに案内されて前後方向に移動するスライダーをスライドガイドに取付け、該スライダーに後方かつ上方に向けて延びるブラケットを取付け、該ブラケットの端部に第２２支点を設け、第１リンクアームの下部に第２３支点を設け、該第２３支点から後方に向けて第１３リンクアームを回動可能に連結し、該第１３リンクアームの後端部を前記第２２支点に回動可能に連結し、前記スライダーを前後方向に移動させることによって第１３リンクアームを介して前記第１リンクアームを第１支点を中心として回動させるようにした請求項１〜３のいずれか１項に記載のリクライニングシート。
【請求項５】
第１２リンクアームを第２１支点から前方に延ばしさらに下方に延ばして支持部を形成し、リクライニングシートの水平状態において前記支持部の下端を床面と略一致させた請求項３又は４に記載のリクライニングシート。
【考案の詳細な説明】
【技術分野】
【０００１】
本考案は、背受け及びオットマンが座に対して回動するリクライニングシートに関するものである。
【背景技術】
【０００２】
従来のリクライニングシートは、座が取り付けられる座フレームの後端部に連結ピンを設け、該連結ピンを介して背受けが取り付けられる背フレームを前後方向に回動可能に連結してなるものであった。このものは、前記連結ピンが着座者の腰部に対して下方に大きく離れることとなり、背フレームを前後方向に回動させると、背受けが着座者の背中に対して大きくずれることになる。このため、着座者は背フレームを回動させる度に背中を背受けから離して背受けに対する背中の位置を調節する必要がある。
【０００３】
これを解決したリクライニングシートとして特許文献１がある。このものは、座フレームと背フレームとを回動可能に連結する連結ピンを座フレームから上方に突出させることなく、背フレームの回動軸心を着座者の腰部に位置させることにより、背フレームの回動による着座者とのずれを防止するようにしたリクライニングシートである。
【０００４】
このリクライニングシート３０は、着座姿勢から仰向けに変化する際に、背受け３１が水平になるに従って座フレーム３２の後端部から後方へ向かって傾斜し水平に至る（図５）。このとき、座フレーム３２がベース３３に対して前後に移動できないため、リクライニングシート３０を室内に設置する際に、後方への傾斜スペースＳ１を確保しておかなければならない。これは、リクライニングシート３０が着座姿勢の時には、背受け３１と室内の壁面３４との間に無駄なスペース（Ｓ１）を確保する必要があることになって、室内空間の効率的利用ができないことになる。
また、座フレーム３２の前端部に連結ピンを介してオットマン３５が取り付けられるオットマンフレームを前後方向に回動可能に連結してなるものであるため、座フレーム３２に対するオットマン３５の傾動時にも脚部とオットマン３５とのズレが発生し、着衣のめくれ等の問題があった。
【先行技術文献】
【特許文献】
【０００５】
【特許文献１】登録実用新案第３１３９３６７号公報
【考案の概要】
【考案が解決しようとする課題】
【０００６】
本考案は、着座姿勢の時、背受けと室内の壁面との間の無駄なスペースを減らせるようにしたリクライニングシート、また、座フレームに対する背フレーム及びオットマンフレームの回動軸心を着座者の腰及び膝関節の回動軸心に位置させることによって、リクライニング動作時の身体とシートとのズレを防止するようにしたリクライニングシートを得ることを目的とする。
【課題を解決するための手段】
【０００７】
上記課題を解決するために、本願の請求項１に係る考案は、ベースフレームの上方に座フレームを配置し、該座フレームの後部に第１支点及び該第１支点の下方に第２支点を設け、背フレームの下部に第６支点及び該第６支点に対して後方かつ上方に位置する第７支点を設け、前記第１支点及び第２支点に第１リンクアーム及び第２リンクアームを後方に向けて回動可能に連結し、前記第６支点及び第７支点に第３リンクアーム及び第４リンクアームを下方に向けて回動可能に連結し、前記第１リンクアームの前後中間部と第２リンクアームの後部とに、前記第１支点、第２支点を共有した略平行リンク支点をなす第３支点と第４支点とを設け、該第３支点と第４支点とを前記第３リンクアームの下部に回動可能に連結し、前記第１リンクアームの後端部に、前記第３支点、第６支点、第７支点を共有した略平行リンク支点をなす第５支点を設け、該第５支点に前記第４リンクアームの下部を回動可能に連結し、前記ベースフレームの前部、前後中間部、後部に第８支点、第９支点、第１０支点をそれぞれ設け、前記座フレームの前後中間部に第１１支点、前記第１リンクアームの前後中間部に第１２支点を設け、前記第８支点と第１１支点とを第５リンクアーム、前記第９支点と第１支点とを第６リンクアーム、前記第１０支点と第１２支点とを第７リンクアームにより、それぞれ回動可能に連結したこと、を特徴としている。
請求項２に係る考案は、座フレームの前部に第１３支点及び該第１３支点の後方に第１４支点を設け、オットマンフレームの上部に第１５支点及び該第１５支点の下方に第１６支点とを設け、前記第１３支点及び第１４支点に第８リンクアーム及び第９リンクアームを下方に向けて回動可能に連結し、前記第１５支点及び第１６支点に第１０リンクアーム及び第１１リンクアームを後方に向けて回動可能に連結し、前記第８リンクアームの上下中間部と第９リンクアームの下部とに、前記第１３支点、第１４支点を共有した略平行リンク支点をなす第１７支点、第１８支点とを設け、該第１７支点、第１８支点とを前記第１０リンクアームの後部に回動可能に連結し、前記第８リンクアームの下端部に、前記第１５支点、第１６支点、第１７支点を共有した略平行リンク支点をなす第１９支点を設け、該第１９支点に前記第１１リンクアームの後部を回動可能に連結したものである。
請求項３に係る考案は、第１リンクアームの下部及び第９リンクアームの上下中間部に第１支点、第１４支点を共有した四辺形リンクの支点をなす第２０支点、第２１支点を設け、該第２０支点、第２１支点とに第１２リンクアームを回動可能に連結したものである。
請求項４に係る考案は、ベースフレームに前後方向に延びるスライドガイドを設け、該スライドガイドに案内されて前後方向に移動するスライダーをスライドガイドに取付け、該スライダーに後方かつ上方に向けて延びるブラケットを取付け、該ブラケットの端部に第２２支点を設け、第１リンクアームの下部に第２３支点を設け、該第２３支点から後方に向けて第１３リンクアームを回動可能に連結し、該第１３リンクアームの後端部を前記第２２支点に回動可能に連結し、前記スライダーを前後方向に移動させることによって第１３リンクアームを介して前記第１リンクアームを第１支点を中心として回動させるようにしたものである。
請求項５に係る考案は、第１２リンクアームを第２１支点から前方に延ばしさらに下方に延ばして支持部を形成し、リクライニングシートの水平状態において前記支持部の下端を床面と略一致させたものである。
【考案の効果】
【０００８】
請求項１に係る考案は、第１リンクアームが第１支点を中心として下方に回動されると、第１支点、第２支点、第４支点、第３支点が第１の略平行リンク支点となっており、また、第３支点、第５支点、第７支点、第６支点は前記第１の略平行リンク支点の一部を共有する第２の略平行リンク支点となっているため、背フレームは、第１支点、第３支点、第６支点を共有する座フレームの後部上方の仮想支点を中心として後傾斜しつつ下方に回動されることになる。これにより、各リンクアーム及び各支点を座フレーム及び背フレームの外側（後方）に配置しながら、背フレームを着座者の腰部を中心として起倒させることができ、該背フレームの回動による着座者とのずれを防止することができる。また、座フレームに上方への突起物がなくなる。
また、背受けフレームを回動してリクライニングさせると、第１リンクアームは背受けフレームと同じ角度だけ第１支点を中心に回動する。このとき、第１１支点、第１支点、及び第１２支点は第５リンクアーム、第６リンクアーム及び第７リンクアームによりベースフレームに連結されているため、リクライニング動作に連動して全体がベースフレームに対して前方へ移動する。このため、背フレームの後端部は大きく後方に回動することなく、リクライニングシートを室内に設置する際、背フレームの後方に大きなデッドスペースを確保する必要がなくなる。
請求項２に係る考案は、第９リンクアームが第１４支点を中心として前方に回動されると、第１３支点、第１４支点、第１８支点，第１７支点が第３の略平行リンク支点となっており、また、第１５支点，第１６支点、第１９支点、第１７支点は、前記第３の略平行リンク支点の一部を共有する第４の略平行リンク支点となっているため、オットマンフレームは、第１３支点，第１７支点，第１５支点を共有する座フレーム前部上方の仮想支点を中心として上方に回動されることになる。これにより、各リンクアーム及び各支点を座フレーム及びオットマンフレームの外側（後方）に配置しながら、オットマンフレームを着座者の膝関節を中心として回動させることができ、該オットマンフレームの回動による着座者とのずれを防止することができる。また、座フレームの上方への突起物がなくなる。
請求項３に係る考案は、第１リンクアームが第１支点を中心に回動すると、第１２リンクアームを介して第８〜第１１リンクアームが連動することになる。これにより、座フレーム、背フレーム、オットマンフレームとが連動してスムースにリクライニング動作をすることができる。
請求項４に係る考案は、スライダーを前後方向に移動させると、第１３リンクアームを介して前記第１リンクアームが第１支点を中心に回動されることになる。これにより、背フレームが座フレームに対して傾動することになる。また、第１リンクアームが第１支点を中心に回動されると、第１２リンクアームを介して第８〜第１１リンクアームが連動することになり、オットマンフレームが座フレームに対して傾動することになる。このように、スライダーを前後に移動させることによって第１リンクアームを第１支点を中心に回動させリクライニング動作を行うことができる。
請求項５に係る考案は、リクライニングシートが水平状態となりシート全体がベースフレームに対して前方に移動しても、支持部で座フレーム及びオットマンフレームを支えるので、シートの前部に荷重をかけてもシートが傾くことがない。
【図面の簡単な説明】
【０００９】
【図１】本考案によるリクライニングシートの基本姿勢を示す側面説明図である。
【図２】本考案によるリクライニングシートの後傾斜作動状態を示す側面説明図である。
【図３】本考案によるリクライニングシートの水平作動状態を示す側面説明図である。
【図４】本考案によるリクライニングシートのリクライニング作動の際のベースに対するシートの移動の様子を示す概略説明図である。
【図５】従来例によるリクライニングシートのリクライニング作動の際のベースに対するシートの移動の様子を示す概略説明図である。
【考案を実施するための形態】
【００１０】
以下、本考案の実施例を図面に基づいて具体的に説明する。図１において、１はリクライニングシートであり、ベース２の上方に傾動可能に取り付けられる。リクライニングシート１は、座フレーム３、背フレーム４及びオットマンフレーム５を有し、これらには緩衝用のクッション、即ち、座３ａ、背受け４ａ、オットマン５ａが取付けられている。
【００１１】
座フレーム３、背フレーム４、オットマンフレーム５は、リンク機構により互いに連係して作動されるようになっている。即ち、図２に示すように、背フレーム４を後方に傾斜させると、座フレーム３がベース２に対して前方に移動し、背フレーム４もベース２に対して前方に移動しつつ後方に傾斜される。また、オットマンフレーム５もベース２に対して前方に移動しつつ所定量上昇される。さらに、図３に示すように、背フレーム４を水平に回動させると、座フレーム３、背フレーム４、オットマンフレーム５がベース２に対しさらに前方に移動しつつ水平な面状となり、着座者をリクライニングシート１上で寝かせるようになっている。
【００１２】
次に、リクライニングシート１のフレーム構成を説明する。ベース２は、ステンレス、アルミ等の金属製のパイプにより長方形状にベースフレーム６を形成し、該ベースフレーム６の前部に前部支柱７を起立固定し、ベースフレーム６の後部に後部支柱８を起立固定してある。
【００１３】
ベースフレーム６の上方に座フレーム３を配置し、該座フレーム３の後端部に第１支点Ｐ１を設け、座フレーム３の後端部に下方に延びる補助フレーム９を垂下固定しその下端部に第２支点Ｐ２を設ける。符号１０は座フレーム３に補助フレーム９を強固に固定するための補強板である。また、背フレーム４の下端部に前方に突出する背受け４ａの下がり止め片１１を形成し、該下がり止め片１１に第６支点Ｐ６を、背フレーム４の背面下部であって前記第６支点Ｐ６より後方かつ上方に第７支点Ｐ７を設ける。
そして、前記第１支点Ｐ１に異形三角形状の第１リンクアームＬ１を、前記第２支点Ｐ２に第２リンクアームＬ２をそれぞれ後方に向けて回動可能に連結し、前記第６支点Ｐ６に第３リンクアームＬ３を、前記第７支点Ｐ７に第４リンクアームＬ４をそれぞれ下方に向けて回動可能に連結する。
また、前記第１リンクアームＬ１の前後中間部と第２リンクアームＬ２の後部とに第３支点Ｐ３と第４支点Ｐ４とを設ける。該第３支点Ｐ３及び第４支点Ｐ４は、前記第１支点Ｐ１と第２支点Ｐ２とを結ぶ線と平行する線上であってかつ第１支点Ｐ１と第２支点Ｐ２間と等間隔をなす位置とする。これにより、第１支点Ｐ１、第２支点Ｐ２、第４支点Ｐ４、第３支点Ｐ３で第１の略平行リンク支点を形成する。
【００１４】
また、前記第３支点Ｐ３と第４支点Ｐ４とを前記第３リンクアームＬ３の下部２カ所に回動可能に連結し、前記第１リンクアームＬ１の後端部に第５支点Ｐ５を設ける。該第５支点Ｐ５は、第６支点Ｐ６と第７支点Ｐ７とを結ぶ線と平行する第３支点Ｐ３を通る線上であってかつ第６支点Ｐ６と第７支点Ｐ７間と等間隔をなす位置とする。第４リンクアームＬ４の下端部を第５支点Ｐ５に回動可能に連結する。これにより、前記第３支点Ｐ３、第５支点Ｐ５、第７支点Ｐ７、第６支点Ｐ６で第２の略平行リンク支点を形成する。
【００１５】
この場合、前記第１リンクアームＬ１が第１支点Ｐ１を中心として下方に回動されると、第１支点Ｐ１、第２支点Ｐ２、第４支点Ｐ４、第３支点Ｐ３が第１の略平行リンク支点となっており、また、前記第３支点Ｐ３、第５支点Ｐ５、第７支点Ｐ７、第６支点Ｐ６は前記第１の略平行リンク支点の一部を共有する第２の略平行リンク支点となっているため、前記背フレーム４は、第１支点Ｐ１、第３支点Ｐ３、第６支点Ｐ６を共有する座フレーム３の後部上方の仮想支点Ｐ３０を中心として後傾斜しつつ下方に回動されることになる。仮想支点Ｐ３０は、第１支点Ｐ１、第３支点Ｐ３、第６支点Ｐ６とともに平行四辺形の頂点を構成し、回転角の如何にかかわらず、座フレーム３からの位置、及び背フレーム４からの位置は一定である。
【００１６】
これにより、第１〜第４リンクアームＬ１〜Ｌ４の長さ及び各支点を選択することにより、これらを座フレーム３及び背フレーム４の外側（後方）に配置しながら、背フレーム４を着座者の腰部（Ｐ３０）を中心として起倒させることができ、該背フレーム４の回動による着座者とのずれを防止することができる。また、座フレーム３に上方への突起物がなくなる。
【００１７】
座フレーム３の前端部に第１３支点Ｐ１３を設け、その後方に第１４支点Ｐ１４を設ける。そして、第１３支点Ｐ１３に第８リンクアームＬ８を、第１４支点Ｐ１４に第９リンクアームＬ９をそれぞれ下方に向けて回動可能に連結する。
また、オットマンフレーム５の上端部に第１５支点Ｐ１５を設け、その下方に第１６支点Ｐ１６を設ける。そして、第１５支点Ｐ１５に第１０リンクアームＬ１０を、第１６支点Ｐ１６に第１１リンクアームＬ１１をそれぞれ後方に向けて回動可能に連結する。
前記第８リンクアームＬ８の上下中間部と第９リンクアームＬ９の下部とに、第１７支点Ｐ１７と第１８支点Ｐ１８を設ける。該第１７支点Ｐ１７と第１８支点Ｐ１８は、第１３支点Ｐ１３と第１４支点Ｐ１４とを結ぶ線と平行する線上であってかつ第１３支点Ｐ１３と第１４支点Ｐ１４間と等間隔をなす位置とする。これにより、第１３支点Ｐ１３、第１４支点Ｐ１４、第１８支点Ｐ１８、第１７支点Ｐ１７で第３の略平行リンク支点を形成する。
【００１８】
また、第１７支点Ｐ１７と第１８支点Ｐ１８とを前記第１０リンクアームＬ１０の後部２カ所に回動可能に連結し、前記第８リンクアームＬ８の下端部に第１９支点Ｐ１９を設ける。該第１９支点Ｐ１９は、第１５支点Ｐ１５と第１６支点Ｐ１６とを結ぶ線と平行する第１７支点Ｐ１７を通る線上であってかつ第１５支点Ｐ１５と第１６支点Ｐ１６間と等間隔をなす位置とする。第１１リンクアームＬ１１の後端部を第１９支点Ｐ１９に回動可能に連結する。これにより、第１５支点Ｐ１５、第１６支点Ｐ１６、第１９支点Ｐ１９、第１７支点Ｐ１７で第４の略平行リンク支点を形成する。
【００１９】
この場合、第９リンクアームＬ９が第１４支点Ｐ１４を中心として前方に回動されると、第１３支点Ｐ１３、第１４支点Ｐ１４、第１８支点Ｐ１８、第１７支点Ｐ１７が第３の略平行リンク支点となっており、また、第１５支点Ｐ１５、第１６支点Ｐ１６、第１９支点Ｐ１９、第１７支点Ｐ１７は、前記第３の略平行リンク支点の一部を共有する第４の略平行リンク支点となっているため、オットマンフレーム５は、第１３支点Ｐ１３、第１７支点Ｐ１７、第１５支点Ｐ１５を共有する座フレーム３前部上方の仮想支点Ｐ３１を中心として上方に回動されることになる。仮想支点Ｐ３１は、第１３支点Ｐ１３、第１７支点Ｐ１７、第１５支点Ｐ１５とともに平行四辺形の頂点を構成し、回転角の如何にかかわらず、座フレーム３からの位置、及びオットマンフレーム５からの位置は一定である。
【００２０】
これにより、第８〜第１１リンクアームＬ８〜Ｌ１１の長さ及び各支点を選択することにより、これらを座フレーム３及びオットマンフレーム５の外側（後方）に配置しながら、オットマンフレーム５を着座者の膝関節（Ｐ３１）を中心として回動させることができ、該オットマンフレーム５の回動による着座者とのずれを防止することができる。また、座フレーム３の上方への突起物がなくなる。
【００２１】
第１リンクアームＬ１の下部及び第９リンクアームＬ９の上下中間部に第１支点Ｐ１、第１４支点Ｐ１４を共有した四辺形リンクの支点をなす第２０支点Ｐ２０、第２１支点Ｐ２１を設ける。該第２０支点Ｐ２０、第２１支点Ｐ２１とに第１２リンクアームＬ１２を回動可能に連結する。なお、第１２リンクアームＬ１２と第２０支点Ｐ２０、第２１支点Ｐ２１とは、ブラケット１２、ブラケット１３を介して回動可能に連結してある。
これにより、第１リンクアームＬ１が第１支点Ｐ１を中心として下方に回動すると、第２０支点Ｐ２０、第１２リンクアームＬ１２を介して第２１支点Ｐ２１が前方に移動され、第９リンクアームは第１４支点Ｐ１４を中心として前方に回動されることになる。第８、第１０、第１１リンクアームＬ８，Ｌ１０，Ｌ１１はこれに連動することになる。
【００２２】
そして、第１２リンクアームＬ１２は第２１支点Ｐ２１より前方に延ばしさらに下方に延ばして支持部１４を形成してある。支持部１４の下端は、リクライニングシート１の水平状態において床面１５と略一致するようにしてある。これにより、リクライニングシート１が水平状態となりシート全体がベースフレーム６に対して前方に移動しても、支持部１４で座フレーム３及びオットマンフレーム５を支えるので、リクライニングシート１の前部に荷重をかけてもリクライニングシート１が傾くことがない（図３）。
なお、ベースフレーム６の後部に起立固定した後部支柱８は、リクライニングシート１が水平状態のとき背フレーム４を支持する（図３）。
【００２３】
ベースフレーム６の前部に起立固定した前部支柱７の上端部に第８支点Ｐ８を設け、ベースフレーム６の前後中間部に第９支点Ｐ９、後端部に第１０支点Ｐ１０をそれぞれ設ける。また、前記座フレーム３の前後中間部に第１１支点Ｐ１１、前記第１リンクアームＬ１の前後中間部に第１２支点Ｐ１２を設ける。そして、第８支点Ｐ８と第１１支点Ｐ１１とを第５リンクアームＬ５、第９支点Ｐ９と第１支点Ｐ１とを第６リンクアームＬ６、第１０支点Ｐ１０と第１２支点Ｐ１２とを第７リンクアームＬ７により、それぞれ回動可能に連結する。
【００２４】
背フレーム４を回動してリクライニングさせると、第１リンクアームＬ１は背フレーム４と同じ角度だけ第１支点Ｐ１を中心に回動する。このとき、第１支点Ｐ１と第１２支点Ｐ１２は第６リンクアームＬ６と第７リンクアームＬ７によりベースフレーム６に連結されており、また第１１支点Ｐ１１は第５リンクアームＬ５によりベースフレーム６側に連結されているため、リクライニング動作に連動して全体がベースフレーム６に対して前方へ移動する。このように、着座状態から傾斜状態を経て水平状態に至るリクライニング動作に際し、リクライニングシート全体が前方に移動しつつリクライニング動作することになる。
【００２５】
図４に示すように、背受け４ａ（背フレーム４）はベース２に対して前方に移動しつつ後方に傾斜するため、着座状態から水平状態に至るに際し、背受け４ａ（背フレーム４）の後端部はベース２に対して大きく後方に回動することがない。このため、リクライニングシート１を室内に設置する際、背受け４ａ後方の壁面２１との間に必要なスペースＳは小さくてすみ、大きなデッドスペースを確保する必要がなくなる。
【００２６】
ベースフレーム６に起立固定した前部支柱７の上部に、前部に駆動モータ１６が取付けられ前後方向に延びるスライドガイド１７を設けてある。スライドガイド１７には該スライドガイド１７に案内されて前後に移動するスライダー１８を取付けてある。スライドガイド１７の後部は後部支柱１９により支持されている。
スライダー１８には、後方かつ上方に向けて延びるＬ形のブラケット２０を取付けてあり、該ブラケット２０の端部に第２２支点Ｐ２２を設けてある。一方、前記第１リンクアームＬ１の下部に第２３支点Ｐ２３を設け、該第２３支点Ｐ２３から後方に向けて第１３リンクアームＬ１３を回動可能に連結し、該第１３リンクアームＬ１３の後端部を前記第２２支点Ｐ２２に回動可能に連結する。
【００２７】
そして、前記スライダー１８を前後方向に移動させると、第１３リンクアームＬ１３を介して前記第１リンクアームＬ１が第１支点Ｐ１を中心に回動されることになる。これにより、背フレーム４が座フレーム３に対して傾動することになる。また、第１リンクアームＬ１が第１支点Ｐ１を中心として回動されると、第１２リンクアームＬ１２を介して第８〜第１１リンクアームＬ８〜Ｌ１１が連動し、オットマンフレーム５が座フレーム３に対して傾動することになる。
【符号の説明】
【００２８】
１  リクライニングシート
２  ベース
３  座フレーム
３ａ  座
４  背フレーム
４ａ  背受け
５  オットマンフレーム
５ａ  オットマン
６  ベースフレーム
７  前部支柱
８  後部支柱
９  補助フレーム
１０  補強板
１１  下がり止め片
１２，１３    ブラケット
１４  支持部
１５  床面
１６  駆動モータ
１７  スライドガイド
１８  スライダー
１９  後部支柱
２０  ブラケット
２１  壁面
Ｐ１〜Ｐ２３    第１支点〜第２３支点
Ｐ３０，Ｐ３１  仮想支点
Ｌ１〜Ｌ１３  第１リンクアーム〜第１３リンクアーム
Ｓ  スペース
【図１】
0003181035.tif 000003
【図２】
0003181035.tif 000004
【図３】
0003181035.tif 000005
【図４】
0003181035.tif 000006
【図５】
0003181035.tif 000007